(57)【要約】【課題】糊や接着剤による接着が不要で、段ボールの使用量が抑制される、梱包材を提供する。【解決手段】段ボール２を有し、段ボール２が折り曲げられて、被梱包物３の隣接する二つのコーナーを構成する四つの面部の前記二つのコーナーの周辺部分を覆う覆い片１１が形成される。【選択図】図１
2015101351.tif 000002
【特許請求の範囲】
【請求項１】
段ボールを有し、
前記段ボールが折り曲げられて、被梱包物の隣接する二つのコーナーを構成する四つの面部の前記二つのコーナーの周辺部分を覆う覆い片が形成されることを特徴とする梱包材。
【請求項２】
前記被梱包物の前記四つの面部のうちの一面部を覆う前記覆い片から、前記一面部の前記被梱包物を覆う側と反対側に向けて突出する、緩衝片が設けられることを特徴とする請求項１記載の梱包材。
【請求項３】
前記緩衝片を構成する前記段ボールの中しんの波形断面を有する長手方向が、前記緩衝片が設けられる前記覆い片と交差することを特徴とする請求項１または２記載の梱包材。
【請求項４】
前記段ボールが折り曲げられて形成される第一の区画に突出部が設けられ、前記第一の区画とは別の第二の区画に、組み立てられた状態で前記突出部が挿入されて、前記第一の区画の前記第二の区画からの抜け止めを行うための切れ目が形成されることを特徴とする請求項１乃至３のいずれか一項に記載の梱包材。
【請求項５】
前記梱包材の一部のみから突出し、前記梱包材が装着された前記被梱包物が収納される梱包箱の箱本体の内面との間に、前記梱包箱の蓋部が備える挿入片が挿入される挿入隙間を形成する、スペーサが設けられることを特徴とする請求項１乃至４のいずれか一項に記載の梱包材。
【発明の詳細な説明】
【技術分野】
【０００１】
本発明は、梱包材に関するものである。
【背景技術】
【０００２】
従来、被梱包物のコーナーを覆う梱包材が知られている（例えば特許文献１）。梱包材は、段ボールが折り曲げられて形成され、被梱包物のコーナーの周辺部分を覆う覆い片を有するものである。
【先行技術文献】
【特許文献】
【０００３】
【特許文献１】特開平７−３３００３５号公報
【特許文献２】特開２００６−２７３３４９号公報
【発明の概要】
【発明が解決しようとする課題】
【０００４】
特許文献１に示される従来の梱包材においては、段ボールが折り曲げられて、組み立てられた形状を保持するため、４方向に張り出した部材を複雑に組み込み必要があり、糊や接着剤により接着されるものである。このため、接着作業が必要であり、組み立ての工数および費用が増大してしまう、という問題があった。また、一つのコーナーに一つの梱包材が必要となるため、梱包材の個数が増大してしまう、という問題もあった。（具体的には、四角柱の製品に対しては８個の梱包財が必要になる。）
そこで、別の梱包材が開発された（例えば特許文献２）。図６（ａ）に、前記別の梱包材９を示し、図６（ｂ）に、梱包材９が用いられて被梱包物３が梱包され、梱包箱４０に収納された梱包体４を示す。この梱包材９にあっては、段ボールが組み立てられて形成された際、糊や接着剤による接着が不要となるものである。
【０００５】
しかしながら、このものにあっては、被梱包物３のコーナーのみならず、一面部を包み込むものであるため、コーナー以外の部分を覆って面積が大きくなる。特に、段ボールが折り曲げられて梱包材９が形成されるため、二重またはそれ以上重ねられてコーナー以外の部分を覆う面積が膨大となり、段ボールが無駄に消費され、費用がかかる上、省エネやエコにも反することになりかねないものであった。
【０００６】
また、長さ方向幅方向の寸法違いの製品に対しては共用化ができず、個別に包装部材を作成する必要があり、製造上での管理・保管スペースや管理の煩雑なものになり非効率なものとなっていた。
【０００７】
本発明は上記従来の問題点に鑑みて発明したものであって、その目的とするところは、糊や接着剤による接着が不要で、簡易に組立てができ、段ボールの使用量が抑制される、長さ幅寸法違いの製品に対しても共用化が可能な梱包材を提供することにある。
【課題を解決するための手段】
【０００８】
上記課題を解決するために、本発明の梱包材は、段ボールを有し、前記段ボールが折り曲げられて、被梱包物の隣接する二つのコーナーを構成する四つの面部の前記二つのコーナーの周辺部分を覆う覆い片が形成されることを特徴とする。
【０００９】
また、前記被梱包物の前記四つの面部のうちの一面部を覆う前記覆い片から、前記一面部の前記被梱包物を覆う側と反対側に向けて突出する、緩衝片が設けられることが好ましい。
【００１０】
また、前記緩衝片を構成する前記段ボールの中しんの波形断面を有する長手方向が、前記緩衝片が設けられる前記覆い片と交差することが好ましい。
【００１１】
また、前記段ボールが折り曲げられて形成される第一の区画に突出部が設けられ、前記第一の区画とは別の第二の区画に、組み立てられた状態で前記突出部が挿入されて、前記第一の区画の前記第二の区画からの抜け止めを行うための切れ目が形成されることが好ましい。
【００１２】
また、前記梱包材の一部のみから突出し、前記梱包材が装着された前記被梱包物が収納される梱包箱の箱本体の内面との間に、前記梱包箱の蓋部が備える挿入片が挿入される挿入隙間を形成する、スペーサが設けられることが好ましい。
【発明の効果】
【００１３】
本発明の梱包材にあっては、被梱包物の隣接する二つのコーナーの周辺部分を覆う覆い片が形成されていて、二つのコーナーにつき一つの梱包材ですむため、梱包材の個数が増大するのが抑えられる。また、糊や接着剤による接着が不要で、接着作業による、組み立ての工数および費用が増大が抑えられる。簡易に組立てができ、段ボールの使用量が抑制される、長さ幅寸法違いの製品に対しても共用化が可能なものを提供できる。
【図面の簡単な説明】
【００１４】
【図１】本発明の第一実施形態における梱包材の斜視図である。
【図２】（ａ）〜（ｆ）は第一実施形態における段ボールからの梱包材の組み立てを説明する斜視図である。
【図３】第二実施形態における段ボールの展開図である。
【図４】（ａ）〜（ｄ）は第二実施形態における段ボールからの梱包材の組み立てを説明する斜視図である。
【図５】第二実施形態における梱包材が用いられて被梱包物が梱包され、梱包箱に収納された梱包体を示し、（ａ）は蓋部が開かれている状態の斜視図であり、（ｂ）は蓋部が閉じられている状態の斜視図である。
【図６】（ａ）は従来の梱包材の斜視図を示し、（ｂ）は前記梱包材が用いられて被梱包物が梱包され、梱包箱に収納された梱包体の斜視図を示す。
【発明を実施するための形態】
【００１５】
本発明の梱包材１は、段ボール２を有し、段ボール２が折り曲げられて、被梱包物３の隣接する二つのコーナーを構成する四つの面部の前記二つのコーナーの周辺部分を覆う覆い片１１が形成されることを特徴とする。
【００１６】
また、被梱包物３の前記四つの面部のうちの一面部を覆う覆い片１１ａから、前記一面部の被梱包物３を覆う側と反対側に向けて突出する、緩衝片１２が設けられることが好ましい。
【００１７】
また、緩衝片１２を構成する段ボール２の中しん２ａの波形断面を有する長手方向が、緩衝片１２が設けられる覆い片１１ａと交差することが好ましい。
【００１８】
また、段ボール２が折り曲げられて形成される区画２９ａに突出部２９ｅが設けられ、区画２９ａとは別の区画２９ｄに、組み立てられた状態で突出部２９ｅが挿入されて、区画２９ａの区画２９ｄからの抜け止めを行うための切れ目２９ｇが形成されることが好ましい。
【００１９】
また、梱包材１の一部のみから突出し、梱包材１が装着された被梱包物３が収納される梱包箱４０の箱本体の内面との間に、梱包箱４０の蓋部４２が備える挿入片４３が挿入される挿入隙間４４を形成する、スペーサが設けられることが好ましい。
【００２０】
以下、本発明の第一実施形態について、図１、図２に基いて説明する。
【００２１】
梱包材１は、図１に示すように、段ボール２を有するもので、特に第一実施形態については、梱包材１は段ボール２のみで構成可能であるが、他の部材が付加されても構わないものである。段ボール２は、図１に示すように、波形に成形された中しん２ａの片面又は両面にライナ（第一実施形態は両面のライナ２ｂ、２ｃ）が貼り合わせられたもので、「ＪＩＳ  Ｚ  ０１０４」に規定されるものが好適に用いられるが、限定はされない。ＪＩＳ規格により規定される、厚み５ｍｍ程度の「Ａフルート」、厚み３ｍｍ程度の「Ｂフルート」、厚み８ｍｍ程度の「ＡＢフルート」、厚み１ｍｍ程度の「Ｅフルート」、厚み０．８ｍｍ程度の「Ｄフルート」、が特に好適に用いられる。第一実施形態では、「Ｅフルート」が用いられる。梱包材１については後で詳述する。
【００２２】
被梱包物３（図５（ｂ）参照）は、第一実施形態では、所謂スイッチングＨｕｂであるが、他に例えば、照明器具や、建材（壁パネル、天井パネル等）等、特に限定されない。
【００２３】
また、本発明の梱包材１が梱包対象とする被梱包物３は、少なくとも二つのコーナーを有するものが想定されている。ここで、コーナーとは、少なくとも三面が周端縁で共有する点をいう。コーナーからは、隣接する二面が共有する辺が少なくとも三本延びている。
【００２４】
なお、辺は、必ずしも二面の境界をなす線状のエッジである必要はない。辺に丸み（Ｒ）が形成されていたり、境界の区別が曖昧で、明確に辺の両側の二面が区別されていなくてもよいが、二面の辺の周辺部分の法線方向は異なるものとする。また、コーナーも、丸み（Ｒ）が形成されていたり、このコーナーを構成する面が明確に区別されていなくてもよい。
【００２５】
第一実施形態では、被梱包物３（スイッチングＨｕｂ）は、矩形箱状をしたものである。なお、矩形箱状とは、いずれかの面（仮に第一の面とする）が、第一の面と辺を共有する四面に対して、この四面の中央側に片寄った位置に入り込んだ形状となっていてもよい。すなわち、前記四面の第一の面側の端部が筒状となって突出しており、この筒状の突出端部に囲まれる部分を仮想的な面とするものでもよい。
【００２６】
梱包材１は、段ボール２が折り曲げられて形成されるものである。第一実施形態の段ボール２の折り曲げ方について、図２に基いて説明する。
【００２７】
図２（ａ）に示すように、所定の形状に形成された、一枚の段ボール２に、所定の折り目が形成される。なお、折り目の一部として切れ目が形成されてもよい。図２（ａ）に示す段ボール２は、矩形状の一角部に切欠２１が形成された形状となっているが、切欠２１のない矩形状であってもよい。切欠２１の段ボール２長手方向に沿う辺を通り、段ボール２の長手方向全長に亘る、一本の折り目２２が形成されている。また、段ボール２の長手方向に間隔をあけて四本、短手方向全長に亘る折り目２３が形成されている。また、段ボール２の折り目２３により区分される五つの区画のうちの中央の区画２４に、長手方向に亘る折り目２５が形成され、中央の区画２４が折り目２５により区画２４ａと区画２４ｂとに区分されている。また、中央の区画２４の両側の区画２７と区画２８に、折り目２５の端から、さらに外側の区画２９との境界となる折り目２３の折り目２２と反対側の端にかけて、長手方向に対して４５°の角度をなす折り目２６が形成されている。この折り目２６により、区画２７が区画２７ａと区画２７ｂとに区分され、区画２８が区画２８ａと区画２８ｂとに区分されている。
【００２８】
図２（ａ）に示す段ボール２は、まず、図２（ｂ）に示すように、折り目２２に沿って折り曲げられる。
【００２９】
次に、段ボール２は、図２（ｃ）および（ｄ）に示すように、折り目２５および折り目２６が折り曲げられるとともに、折り目２３が折り曲げられていく。
【００３０】
そして、図２（ｅ）に示すように、区画２７ａの面と区画２４ａの面、区画２４ａの面と区画２８ａの面が、略直角をなし、区画２７ａの外側に区画２７ｂが沿わせられ、区画２８ａの外側に区画２８ｂが沿わせられる。そして、切欠２１に隣接する区画２９が、もう一方の区画２９の折り目２２で折り曲げられた両方の間に、折り曲げられて挿入され、図２（ｆ）、図１に示す梱包材１が形成される。
【００３１】
これにより、図１、図２（ｆ）に示すように、被梱包物３の隣接する二つのコーナーを構成する四つの面部の前記二つのコーナーの周辺部分を覆う覆い片１１（区画２４ａ、区画２７ａ、区画２８ａ、区画２９に形成される）が形成される。
【００３２】
また、第一実施形態では、被梱包物３の一面部を覆う覆い片１１ａから、一面部の被梱包物３を覆う側と反対側に向けて設けられる、緩衝片１２が設けられるものである。
【００３３】
緩衝片１２は、梱包材１が用いられて被梱包物３が梱包され、梱包箱４０に収納された梱包体４（図５参照）が落下した場合に、被梱包物３にかかる衝撃を抑えるものである。梱包箱４０が落下した場合、床や地面に到達するのは、多くの場合、いずれかのコーナーが最も早く、このコーナーが床や地面に衝突して衝撃を受ける。緩衝片１２は、コーナーにおけるいずれか一方向に突出することで、突出方向からの衝撃に対して、弾性力や減衰力により、衝撃力を和らげたり衝撃エネルギーを吸収し、緩衝機能を発揮する。
【００３４】
また、第一実施形態では、緩衝片１２を構成する段ボール２の中しん２ａ（図１参照）の波形断面を有する長手方向が、緩衝片１２が設けられる覆い片１１ａと直交している。これにより、緩衝片１２は、突出方向からの衝撃に対して、より一層、緩衝機能が増加するものである。
【００３５】
本発明の梱包材１にあっては、被梱包物３の隣接する二つのコーナーの周辺部分を覆う覆い片１１が形成されていて、二つのコーナーにつき一つの梱包材１が装着されるだけですむため、使用される梱包材１の個数が増大するのが抑えられる。また、従来の梱包材９のように被梱包物３の一面部全体を包み込まないため、使用される段ボール２の面積も小さくてすむ。そして、糊や接着剤による接着が不要で、接着作業による、組み立ての工数および費用が増大が抑えられる。
【００３６】
また、第一実施形態における梱包材１は、少ない折り目で、組み立ても容易であり、より一層、組み立ての工数および費用が抑えられる。
【００３７】
次に、本発明の第二実施形態について、図３乃至図５に基いて説明する。なお、第二実施形態においては、大部分において第一実施形態と同じであり、同じ部分については同符号を付して説明を省略し、主に異なる部分について説明する。
【００３８】
第一実施形態においては、図２（ａ）に示すように、切欠２１が形成されているのに対し、第二実施形態においては、図３に示すように切欠２１が形成されていない。ただし、この区画２９は、折り目２２と同一直線上に位置するスリット２０により、区画２９ａと区画２９ｂとに分断されている。また、反対側の区画２９は、折り目２２により区画２９ｃと区画２９ｄとに区分されているが、分断はされていない。
【００３９】
また、区画２９ａには、スリット２０側の端縁の一部（図示例では中央部）に、突出部２９ｅが設けられている。また、区画２９ｃには、折り目２２側の端縁の一部（図示例では中央部）に、突出部２９ｆが設けられている。また、区画２９ｄには、折り目２２側の端縁の突出部２９ｆに対応する位置に、切れ目２９ｇが設けられている。
【００４０】
第二実施形態においては、段ボール２は、まず、第一実施形態と同様に、折り目２２に沿って折り曲げられ（図２（ｂ）参照）、次に、図４（ａ）に示すように、折り目２５および折り目２６が折り曲げられるとともに、折り目２３が折り曲げられていく。
【００４１】
次に、図４（ｂ）に示すように、区画２７ａの面と区画２４ａの面、区画２４ａの面と区画２８ａの面が、略直角をなし、区画２７ａの外側に区画２７ｂが沿わせられ、区画２８ａの外側に区画２８ｂが沿わせられる。そして、区画２９ａが、折り曲げられた区画２９ｃと区画２９ｄとの間に、折り曲げられて挿入されていく。
【００４２】
そして、図４（ｃ）に示すように、区画２９ａが、折り曲げられた区画２９ｃと区画２９ｄとの間に、完全に挿入されると、区画２９ａに設けられた突出部２９ｅが、区画２９ｄに設けられた切れ目２９ｇに挿入される。これにより、区画２９ａの区画２９ｃおよび区画２９ｄからの抜け止め（ロック）がなされ、組み立て状態の梱包材１が展開されず、形状が保持される。なお、このようなロックが行われるための突出部２９ｅおよび切れ目２９ｇが設けられる箇所は、特に限定されず、これらが梱包材１の組み立て状態において同じ箇所に位置していればよいものである。
【００４３】
図５に、梱包材１が用いられて被梱包物３が梱包され、梱包箱４０に収納された梱包体４を示す。梱包箱４０は、底壁部と、底壁部の端縁から上方に突出する四つの側壁部４１とで、上方に開口する箱本体が構成される。そして、一側壁部４１に、箱本体の上開口を開閉する蓋部４２が設けられている。そして、蓋部４２には、回転中心と回転先端を結ぶ側端辺に、箱本体の上開口が閉じられた時に、箱本体の側壁部４１の内側に挿入される、挿入片４３を備えている。
【００４４】
被梱包物３は、図５（ｂ）に示すように、平面視における四つの角部に、梱包材１が装着された状態で、梱包箱４０に収納される。この時、緩衝片１２が、一方向またはその反対方向に突出するように、梱包材１が被梱包物３に装着される。梱包箱４０は、緩衝片１２が突出する分、被梱包物３よりも大きく形成されており、被梱包物３よりも大きい分のスペース（緩衝片１２間のスペース）に、電源コードや交換部材や説明書等の同梱物３１が挿入可能である。
【００４５】
そして、梱包材１が装着された被梱包物３が梱包箱４０に収納され、蓋部４２が閉じられる。蓋部４２が閉じられるには、挿入片４３が側壁部４１の内側に挿入される必要がある。この時、側壁部４１の内面側には、梱包材１が位置しており、側壁部４１の内面に梱包材１が接触したり極めて近接していると、挿入片４３がが梱包材１に干渉して、蓋部４２が閉じられない。第二実施形態では、梱包材１から突出部２９ｅおよび突出部２９ｆが突出しており、この突出部２９ｅおよび突出部２９ｆが箱本体の下部で側壁部４１の内面に当接する。そして、梱包材１の突出部２９ｅおよび突出部２９ｆ以外の部分と、側壁部４１の内面との間に、挿入隙間４４が形成される。すなわち、突出部２９ｅおよび突出部２９ｆが、梱包材１の一部のみから突出し、箱本体の内面との間に挿入隙間４４を形成するスペーサとして機能するものである。これにより、挿入片４３が梱包箱４０の箱本体に挿入され易くなる。なお、第二実施形態では、組み立て状態の梱包材１が展開されず形状が保持されるための突出部２９ｅおよび突出部２９ｆが、スペーサとして兼用されているが、スペーサが突出部２９ｅおよび突出部２９ｆとは別に設けられてもよい。また、梱包材１は、図３に示す展開図において、左右対称となるものと合わせて対をなすように、作成されるのが好ましい。
【００４６】
第二実施形態においても、段ボール２は「Ｅフルート」が用いられており、緩衝片１２を備えていることで、所定の緩衝能力を有している。なお、緩衝能力は、包装貨物−評価試験方法通則（ＪＩＳ  Ｚ  ０２００）、包装貨物−落下試験方法（ＪＩＳ  Ｚ  ０２０２）に則って、所定の高さからの落下試験を行った。そして、被梱包物３の外観状況、動作確認により、いずれも問題のないレベルにまで衝撃を抑えられることが確認された。
【００４７】
以上、上述した形状の本願発明のコーナーパッド（つまり上述した梱包材１）を提供すると、コーナーパッド（つまり上述した梱包材１）自体の組み立て作業のみならず梱包作業完成までの工程が簡易に組立てができ、しかも、コーナーパッド（つまり上述した梱包材１）が材料の量の殆どとなるので段ボールの使用量が抑制される。それにとどまらず、被梱包商品の寸法や重量に応じて、段ボールの素材を上記ラインナップから選び、長さ幅寸法違いの製品に対しても共用化が可能な梱包完成品つまり流通品を提供できる。
【符号の説明】
【００４８】
１    梱包材
１１  覆い片
１１ａ  覆い片
１２  緩衝片
２    段ボール
２ａ  中しん
２ｂ  ライナ
２ｃ  ライナ
２０  スリット
２１  切欠
２２  折り目
２３  折り目
２４  区画
２５  折り目
２６  折り目
２７  区画
２８  区画
２９  区画
２９ｅ  突出部
２９ｆ  突出部
２９ｇ  切れ目
３    被梱包物
３１  同梱物
４    梱包体
４０  梱包箱
４１  側壁部
４２  蓋部
４３  挿入片
４４  挿入隙間
９    梱包材
【図１】
2015101351.tif 000003
【図２】
2015101351.tif 000004
【図３】
2015101351.tif 000005
【図４】
2015101351.tif 000006
【図５】
2015101351.tif 000007
【図６】
2015101351.tif 000008